(57)【特許請求の範囲】
【請求項１】
回転体により回転され地中に進入埋設された地中アンカの耐張力を確認する方法であって、
埋設される地中アンカに対して要求される耐張力の規格値を指定して、各規格値に対して地中アンカの周面摩擦の油圧面積と土錐体の油圧面積の実験値に基づいて設定し、記憶してある地中アンカの周面摩擦の油圧面積と土錐体の油圧面積の関係式で表される基準値のうち、指定された規格値に対応する基準値を読み出し、
前記回転体を回転駆動するための油圧モータの前記地中アンカの地中への進入開始時点から進入終了時点までの駆動油圧値を所定時間毎に読み取り、
読み取った駆動油圧値に所定の係数として前記所定時間又はその所定時間における前記地中アンカの進入距離を乗算して前記油圧モータの単位油圧面積を求めるとともに、その単位油圧面積を積算して前記進入開始時点から進入終了時点までの合計油圧面積を求め、
その合計油圧面積のうち、前記進入終了時点から前記地中アンカの螺旋状の掘削刃の先端から前記掘削刃の上端部までの長さが地中に進入するのに要するものとして設定された時間を遡った時点から前記進入終了時点までにおける前記単位油圧面積の積算値を前記地中アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較し、
基準値以上である場合に、当該地中アンカの所要の耐張力が確保されたと判定することを特徴とする地中アンカの耐張力確認方法。
【請求項２】
埋設される地中アンカに対して要求される耐張力の規格値を指定する規格値指定手段と、
各規格値に対して地中アンカの周面摩擦の油圧面積と土錐体の油圧面積の実験値に基づいて設定された地中アンカの周面摩擦の油圧面積と土錐体の油圧面積の関係式で表される基準値を記憶している記憶部から指定された規格値に対応する基準値を読み出す手段と、
地中アンカを地中に進入埋設するための回転体を回転させる油圧モータの駆動油圧を計測する油圧計測手段と、
前記油圧計測手段の油圧計測値の上昇開始時点からの前記油圧モータの駆動時間を計測する計時手段と、
前記油圧計測値の上昇開始時点から前記地中アンカが進入されて前記油圧モータの回転が停止される時点までの、前記油圧計測手段から所定時間毎に取得した油圧計測値に前記所定時間を乗じて得られる単位油圧面積を積算して合計油圧面積を求め、その合計油圧面積のうち、前記進入終了時点から前記地中アンカの螺旋状の掘削刃の先端から前記掘削刃の上端部までの長さが地中に進入するのに要するものとして設定された時間を遡った時点から前記進入終了時点までにおける前記単位油圧面積の積算値を前記地中アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較する演算手段と、
演算結果を表示する表示手段と、
前記計時手段、演算手段及び表示手段を制御する制御手段とを含むことを特徴とする耐張力確認装置。
【請求項３】
前記記憶部は埋設される地中アンカに対して要求される耐張力の基準値とその基準値を複数の達成段階に分けた達成割合とを記憶し、前記演算手段は油圧計測値の上昇開始時点から地中アンカが進入されて油圧モータの回転が停止される時点までの合計油圧面積に基づいて当該地中アンカの周面摩擦の油圧面積と土錐体の油圧面積が前記複数の達成割合のいずれに達したかを判定し、前記表示手段は、前記演算手段により判定された達成割合を表示することを特徴とする請求項２に記載の耐張力確認装置。
【請求項４】
各規格値に対して地中アンカの周面摩擦の油圧面積と土錐体の油圧面積の実験値に基づいて設定された地中アンカの周面摩擦の油圧面積と土錐体の油圧面積の関係式で表される基準値を記憶している記憶部から指定された規格値に対応する基準値を読み出し、
回転体を回転駆動するための油圧モータの前記地中アンカの地中への進入開始時点から進入終了時点までの駆動油圧値を所定時間毎に読み取り、
読み取った駆動油圧値に所定の係数として前記所定時間又はその所定時間における前記地中アンカの進入距離を乗算して前記油圧モータの単位油圧面積を求めるとともに、前記単位油圧面積を積算して前記進入開始時点から進入終了時点までの合計油圧面積を求め、
その合計油圧面積のうち、前記進入終了時点から前記地中アンカの螺旋状の掘削刃の先端から前記掘削刃の上端部までの長さが地中に進入するのに要するものとして設定された時間を遡った時点から前記進入終了時点までにおける前記単位油圧面積の積算値を前記地中アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較し、
その比較結果を表示部に表示するためのプログラムを格納したコンピュータ読取可能な記録媒体。
【請求項５】
請求項４に記載の記録媒体において、プログラムには、当該地中アンカの周面摩擦の油圧面積と土錐体の油圧面積が基準値の所定の達成割合に達するたびに表示部に表示させるためのプログラムも含まれていることを特徴とするコンピュータ読取可能な記録媒体。
【発明の詳細な説明】
【技術分野】
【０００１】
本発明は、大地に立設される電柱などの柱状物又は建造物を大地に支持する支線を地中において支持する地中アンカの埋設施工終了時における耐張力を確認する方法、同方法を使用するための装置、及び同方法を実施するためのプログラムを格納したコンピュータ読取可能な記録媒体に関する。
【背景技術】
【０００２】
配電線や電話線などを支持する電柱、又は交通信号機を取り付けるポール等の大地に立設される柱状物を大地に支持する支線、もしくは構造物を大地に支持する支線を地中で支持するために、地中に埋設される地中アンカ（以下、単にアンカという。）が用いられている。
【０００３】
そのアンカは、棒状の軸部の地中進入方向先端側部分に螺旋状の掘削刃を設けた形状に構成されていて、これを地中に埋設するには、そのアンカの先端側と反対側の端部を、電柱を地面に立設するときに用いる穴掘建柱車のオーガ（回転体）に接続し、そのオーガでアンカを回転することにより、アンカ自体で地盤を掘削させ、所定深さまで進入させて埋設するアンカ埋設施工方法が、近年実施されている（特許文献１−４参考）。
【特許文献１】特開２０００−１８５０号公報
【特許文献２】特開２００１−５９２２１号公報
【特許文献３】特開２００１−１８２０５８号公報
【特許文献４】特開２００１−２７１３４５号公報
【０００４】
アンカは、その役目を果たすには、埋設施工後に、柱状物又は構造物から支線を介して加わる引き抜き力に打ち勝つ耐張力を備える必要がある。この引き抜き力に対抗する力である耐張力は、アンカの周面の地中に対する摩擦抵抗力（周面摩擦抵抗力）に依存し、その周面摩擦抵抗力は、アンカが埋設される位置の土質硬度に大きく左右されることが知られている。
【０００５】
しかし、上述した従来のアンカ埋設施工方法においては、現実の施工位置における施工後の耐張力を確認する技術が確立されていなかった。そのため、所要の耐張力を確保するために、アンカ埋設施工の前に、土質測定装置を用いて施工予定地の土質硬度を見極める作業を行っていた。すなわち、その土質測定装置は、先端に向かって細くなる棒状体からなる測定工具を穴掘建柱車のオーガに取り付け、一定の荷重を加えたままオーガでその測定工具を回転させ、測定工具が地中の所定深さまで進入するのに要した回転数から土質硬度を測定するものである。回転数が少ないときは土質硬度が小さい（柔らかい）ことを意味し、回転数が多いときは土質硬度が大きい（硬い）ことを意味する。
【発明の開示】
【発明が解決しようとする課題】
【０００６】
しかしながら、常にアンカ埋設施工前に土質測定装置を用いて土質硬度測定を行うことは煩雑であった。そのため、施工前の土質硬度測定を必要とすることなく、埋設されたアンカの耐張力を速やかに確認できることが要望されていた。
【０００７】
そこで、本願の出願人らは上記要望に応えるため、次のようなアンカ耐張力推定方法を特願２００４−３２１７８６号明細書において提案した。すなわち、先端側部分に螺旋状の掘削刃を有するアンカを油圧モータにより回転させて地中に進入させ埋設するアンカ埋設装置において、アンカが所定深さまで進入されたとき（進入終了時点）の油圧モータの駆動油圧を測定し、その測定結果に基づいてそのアンカの耐張力を推定するものである。
【０００８】
この耐張力推定方法は、油圧モータの駆動油圧は土質が柔らかい場合は低く、土質が硬い場合は高いという特性に着眼して、穴掘建柱車の操縦者が進入終了時点における油圧メータの針を見て、油圧モータの駆動油圧を認識し、これを基に耐張力を推定するものである。
【０００９】
ところで、本発明者らは、上記耐張力の推定方法に関し、さらに検討を進めた結果、アンカの埋設地点の土質は、軟質、硬質などが様々な態様で混在しており、また、耐張力はアンカの周面摩擦抵抗力と土錐体の力に依存するので、進入終了時点の駆動油圧のみに基づいて推定しても、その推定値は実耐張力との間にズレが生じることがあることを発見した。そのため、本発明者らは、進入終了時点における油圧モータの駆動油圧のみに基づく推定方法よりも一層確実に耐張力を確認する方法の確立を目指して本発明をなすに至った。
【００１０】
こうして、本発明は、土質硬度測定を行うことなく、アンカの進入終了直後に実際の耐張力を正確に確認できる耐張力確認方法を提供することを第一の目的とする。
【００１１】
本発明の第二の目的は、上記耐張力確認方法を容易に実現するための耐張力確認装置を提供することにある。
【００１２】
本発明の第三の目的は、前記耐張力確認方法を、アンカを回転駆動する油圧モータ及びコンピュータを用いるいずれのアンカ埋設装置においても使用することができるようにするため、耐張力確認方法を実行するためのプログラムを格納したコンピュータ読取可能な記録媒体を提供することにある。
【課題を解決するための手段】
【００１３】
上記第一の目的を達成するため、本発明による耐張力確認方法は、回転体により回転され地中に進入埋設されたアンカの耐張力を確認する方法であって、（ｐ１）埋設されるアンカに対して要求される耐張力の規格値を指定して、各規格値に対してアンカの周面摩擦の油圧面積と土錐体の油圧面積の実験値に基づいて設定し、記憶してあるアンカの周面摩擦の油圧面積と土錐体の油圧面積の関係式で表される基準値のうち、指定された規格値に対応する基準値を読み出し、（ｐ２）前記回転体を回転駆動するための油圧モータの前記アンカの地中への進入開始時点から進入終了時点までの駆動油圧値を所定時間毎に読み取り、（ｐ３）読み取った駆動油圧値に所定の係数として前記所定時間又はその所定時間における前記アンカの進入距離を乗算して前記油圧モータの単位油圧面積を求めるとともに、その単位油圧面積を積算して前記進入開始時点から進入終了時点までの合計油圧面積を求め、(ｐ４)その合計油圧面積のうち、前記進入終了時点から前記アンカの螺旋状の掘削刃の先端から前記掘削刃の上端部までの長さが地中に進入するのに要するものとして設定された時間を遡った時点から前記進入終了時点までにおける前記単位油圧面積の積算値を前記アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較し、(ｐ５)基準値以上である場合に、当該アンカの所要の耐張力が確保されたと判定することを特徴としている（請求項１）。
【００１４】
前記所定時間とは、油圧モータの駆動油圧値を読取る時間間隔であるが、油圧値は土質により一定時間の間に種々変化するので、前記所定時間は短ければ短いほど正確な油圧モータの単位油圧面積が算出され、前記所定時間が長過ぎると算出される単位油圧面積の誤差が大きくなる。従って、前記所定時間は、前記単位油圧面積の誤差が実用上支障とならない範囲の時間が選択される。
【００１５】
アンカには、軸部の先端側部分に螺旋状の掘削刃が設けられているので、その掘削刃が設けられている軸部の地盤に対する周面摩擦抵抗力は、残余の部分のそれよりも格段に大きい。そして、進入開始時点から進入終了前までの単位油圧面積の積算値である合計油圧面積は比較的小さくても、進入終了直前の一定時間の、アンカの軸部の先端側部分の長さに対応する距離が進入される間における油圧面積が十分に大きいか、又は進入開始時点から進入終了時点までの合計油圧面積が所定値以上であれば、所要の耐張力が確保されることが今回の実験で確認された。これについては、後に詳述する。
【００１６】
上記第二の目的を達成するため、本発明による耐張力確認装置は、(ｍ１)埋設されるアンカに対して要求される耐張力の規格値を指定する規格値指定手段と、（ｍ２）各規格値に対してアンカの周面摩擦の油圧面積と土錐体の油圧面積の実験値に基づいて設定されたアンカの周面摩擦の油圧面積と土錐体の油圧面積の関係式で表される基準値を記憶している記憶部から指定された規格値に対応する基準値を読み出す手段と、（ｍ３）アンカを地中に進入埋設するための回転体を回転させる油圧モータの駆動油圧を計測する油圧計測手段と、（ｍ４）前記油圧計測手段の油圧計測値の上昇開始時点からの前記油圧モータの駆動時間を計測する計時手段と、（ｍ５）前記油圧計測値の上昇開始時点から前記アンカが進入されて前記油圧モータの回転が停止される時点までの、前記油圧計測手段から所定時間毎に取得した油圧計測値に前記所定時間を乗じて得られる単位油圧面積を積算して合計油圧面積を求め、その合計油圧面積のうち、前記進入終了時点から前記アンカの螺旋状の掘削刃の先端から前記掘削刃の上端部までの長さが地中に進入するのに要するものとして設定された時間を遡った時点から前記進入終了時点までにおける前記単位油圧面積の積算値を前記アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較する演算手段と、(ｍ６)演算結果を表示する表示手段と、(ｍ７)前記計時手段、演算手段及び表示手段を制御する制御手段とを備えていることを特徴としている（請求項２）。
【００１７】
記憶部は施工されるアンカに対して要求される耐張力の基準値とその基準値を複数の達成段階に分けた達成割合とを記憶し、演算手段は合計油圧面積に基づいて当該アンカの周面摩擦の油圧面積と土錐体の油圧面積が前記複数の達成割合のいずれに達したかを判定し、表示手段は、前記演算手段により判定された達成割合を表示するものであることが望ましい（請求項３）。
【００１８】
本発明の第三の目的を達成するためのコンピュータ読取可能な記録媒体には、各規格値に対してアンカの周面摩擦の油圧面積と土錐体の油圧面積の実験値に基づいて設定されたアンカの周面摩擦の油圧面積と土錐体の油圧面積の関係式で表される基準値を記憶している記憶部から指定された規格値に対応する基準値を読み出し、回転体を回転駆動するための油圧モータの前記アンカの地中への進入開始時点から進入終了時点までの駆動油圧値を所定時間毎に読み取り、読み取った駆動油圧値に所定の係数として前記所定時間又はその所定時間における前記アンカの進入距離を乗算して前記油圧モータの単位油圧面積を求めるとともに、前記単位油圧面積を積算して前記進入開始時点から進入終了時点までの合計油圧面積を求め、その合計油圧面積のうち、前記進入終了時点から前記アンカの螺旋状の掘削刃の先端から前記掘削刃の上端部までの長さが地中に進入するのに要するものとして設定された時間を遡った時点から前記進入終了時点までにおける前記単位油圧面積の積算値を前記アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較し、その比較結果を表示部に表示するためのプログラムが格納されている（請求項４）。
【００１９】
そのプログラムにより実現される機能には、当該アンカの周面摩擦の油圧面積と土錐体の油圧面積が基準値の所定の達成割合に達するたびにこれを表示部に表示する機能も含まれることが望ましい（請求項５）。
【発明の効果】
【００２０】
請求項１の発明によれば、埋設されるアンカに対して要求される耐張力の規格値を指定して、各規格値に対してアンカの周面摩擦の油圧面積と土錐体の油圧面積の実験値に基づいて設定し、記憶してあるアンカの周面摩擦の油圧面積と土錐体の油圧面積の関係式で表される基準値のうち、指定された規格値に対応する基準値を読み出し、前記回転体を回転駆動するための油圧モータの前記アンカの地中への進入開始時点から進入終了時点までの駆動油圧値を所定時間毎に読み取り、読み取った駆動油圧値に所定の係数として前記所定時間又はその所定時間における前記アンカの進入距離を乗算して前記油圧モータの単位油圧面積を求めるとともに、その単位油圧面積を積算して前記進入開始時点から進入終了時点までの合計油圧面積を求め、その合計油圧面積のうち、前記進入終了時点から前記アンカの螺旋状の掘削刃の先端から前記掘削刃の上端部までの長さが地中に進入するのに要するものとして設定された時間を遡った時点から前記進入終了時点までにおける前記単位油圧面積の積算値を前記アンカの周面摩擦の油圧面積とし、前記時間を遡った時点以前の前記単位油圧面積の積算値を土錐体の油圧面積として、前記周面摩擦の油圧面積と前記土錐体の油圧面積を前記読み出した基準値と比較し、基準値以上である場合に、当該アンカの所要の耐張力が確保されたと判定するようにしたので、土質硬度測定を行うことなく、アンカの進入終了直後に実際の耐張力を容易かつ正確に確認することができる。
【００２１】
また、アンカ埋設地点が硬軟様々な地層であっても、所定の耐張力が得られたか否かを有効確実に確認することができる。
【００２２】
請求項２の発明装置によれば、上記本発明の耐張力確認方法を容易に実現することができる。
【００２３】
請求項３の発明によれば、演算手段が油圧計測値の上昇開始時点からアンカが進入されて油圧モータの回転が停止される時点までの油圧モータの合計油圧面積が複数の達成割合のいずれかに達したと判定した時、表示手段は、その達成割合を表示するので、施工中にアンカの進入量に対応する耐張力獲得程度を容易に確認することができる。従って、埋設作業を続行すべきか、中止すべきか、又は終了すべきかを早期に判断することもできる。
【００２４】
請求項４及び５の発明によれば、記録媒体を請求項２、３の発明による耐張力確認装置のコンピュータに装填することにより、請求項１又は２の耐張力確認方法を実行することができる。
【発明を実施するための最良の形態】
【００２５】
以下、本発明を実施するための最良の形態を図面に基づいて説明する。
図１は、本発明に係るアンカの耐張力確認方法を実施するアンカ埋設装置Ｘの一部の構成を示す分解斜視図である。アンカ埋設装置Ｘには、前述した穴掘建柱車を用いることができる。
先ず、アンカＡから説明する。このアンカＡは鋳鉄製であり、所要長さの軸棒１の地中進入方向先端側（以下、先端側という）の部分（図１では下端側部分）に間欠的に複数個の螺旋状の掘削刃２ａ〜２ｄが設けられている。これらの掘削刃２ａ〜２ｄは、アンカＡの地中進入方向と反対側（図１では上方）に行くほど大きい径を有している。また、各掘削刃２ａ〜２ｄの地中進入方向先端及び外周縁は、尖鋭に形成されている。また、軸棒１の先端には、周知のドリルと同様の切込刃を有するドリル部３が形成されている。
【００２６】
軸棒１のドリル部３と反対側の上部には、軸棒１の径よりも少し大きな径を有するつば部４が設けられているとともに、そのつば部４よりも上側に角柱部５が形成されており、その角柱部５には、後述する支線棒を取付けるための、軸棒に直交する方向に貫通する穴５ａが設けられている。
【００２７】
図１中、６は動力伝達部材である。この動力伝達部材６は、１本の有底筒状体からなり、その一端側（図１では下端側）には、アンカＡの角柱部５を着脱自在に嵌合し得る角穴６ａが形成されているとともに、その他端側（図１では上端側）には、穴掘建柱車のオーガ８の下端に設けられ、下方に開口している角穴８ａに挿入される角柱状の装着部６ｂが形成されている。そして、この動力伝達部材６の内部には、角穴６ａに連通して、支線棒７を収納することができる空間６ｃが形成されている。上記支線棒７は、その下部に設けられているリング７ａを介して、アンカＡの角柱部５に設けられた穴５ａに回動自在に接続されるように構成されている。
【００２８】
図１中、６ｄは貫通孔であって、動力伝達部材６の上部側にその軸線に直交するように貫通して設けられている。したがって、動力伝達部材６内に支線棒７をリング７ｂもろとも挿入した状態で、ボルト６ｅを貫通孔６ｄ及びリング７ｂに貫通し、そのボルト６ｅの先端にナット６ｇを螺合することにより、支線棒７を動力伝達部材６に連結することができる。
【００２９】
アンカ埋設装置（穴掘建柱車）Ｘには、図１に示すように、オーガ８及びこれを回転させる油圧モータＭのほか、図３に示すように、油圧モータＭに駆動エネルギーを供給する油圧系統が設けられている。図３は、その油圧系統を示す油圧回路図である。
図３中、Ｐは、油タンクＴ内のオイルＯを吸引管Ｐ0 を介して吸引して加圧する油圧ポンプである。この油圧ポンプＰは、例えば、穴掘建柱車のエンジン始動により起動される。そして、油圧ポンプＰで加圧されたオイルは、供給管Ｐ1 に供給され、返送管Ｐ2 を介して油タンクＴに返送されるように構成されている。供給管Ｐ1 の途中には、供給管Ｐ1 内の油圧、すなわち油圧モータＭの駆動油圧を計測する油圧計Ｇが設けられている。
【００３０】
供給管Ｐ1 と返送管Ｐ2 の間には３位置弁からなる切換え弁Ｖが設けてある。切換え弁Ｖは、操縦レバーＬの操作により、図３に示されている中立位置、すなわち、供給管Ｐ1 に結合された第１ポートを返送管Ｐ2 に結合されている第４ポートに直接接続する位置、第１ポートを第２ポートに、第３ポートを第４ポートにそれぞれ接続する正転位置、そして、第１ポートを第３ポートに、第２ポートを第４ポートにそれぞれ接続する逆転位置のいずれかに移動して固定することができる。こうして、操縦レバーＬが中立位置にあるときは、切換え弁Ｖはオイルを油圧モータＭに供給しないので、油圧モータＭは回転されない。また、操縦レバーＬが正転位置に移動されると、切換え弁Ｖはオイルを第１ポート及び第２ポートを経て油圧モータＭに供給し、その油圧モータから排出されるオイルを第３ポート及び第４ポートを経て返送管Ｐ2 に排出させるので、油圧モータは正転され、さらに、操縦レバーＬが逆転位置に移動されると、切換え弁Ｖは供給管Ｐ1 のオイルを第１ポートと第３ポートを経て油圧モータＭに供給し、油圧モータＭ内を通過したオイルを第２ポートと第４ポートを経て返送管Ｐ2 に排出させるので、油圧モータは逆転される。
【００３１】
前記アンカ埋設装置Ｘには、図２に示すように、本発明に係る耐張力確認装置Ｙが設置されている。この耐張力確認装置は、油圧モータＭに供給される油圧を計測する油圧計測手段１１と、ＣＰＵ１５と、記憶部１６と、入力部１８と、表示部１９とを有する。
【００３２】
油圧計測手段１１は、アナログ式の油圧計Ｇに周知のアナログデジタル（ＡＤ）変換回路を接続して構成してもよいし、アナログ式油圧計を用いずに、油圧値を直接デジタル計測するものを用いても良い。油圧計測手段１１に数値表示回路１３を接続したときは、油圧モータＭのその時々の駆動油圧を数値で具体的に認識することができる利点がある。
【００３３】
油圧計測手段１１は、インタフェース（Ｉ／Ｆ）１４を介してＣＰＵ１５に接続され、そのＣＰＵ１５には記憶部１６が接続されているとともに、もう一つのインタフェース（Ｉ／Ｆ）１７を介して入力部１８及び表示部１９が接続されている。
ＣＰＵ１５は、計時手段と、演算手段と、制御手段とを有している。計時手段は、制御手段からの制御信号に基づいて基本クロックを用いて油圧計測手段の油圧計測値の上昇開始時点からの油圧モータＭの駆動時間を計測する。演算手段は、油圧計測値の上昇開始時点からアンカが進入されて油圧モータＭの回転が停止される時点までの、所定時間ごとに油圧計測手段１１が計測した油圧計測値に所定の係数を乗じて得られる単位油圧面積（単位時間当たりの油圧面積）を積算し、その積算値である合計油圧面積に基づいて所定の数式を用いてアンカの周面摩擦の油圧面積と土錐体の油圧面積を算出する機能と、その算出されたアンカの周面摩擦の油圧面積と土錐体の油圧面積を埋設される当該アンカに対する規格値に対応して設定され記憶部に記憶されている基準値と比較する機能とを有する。制御手段は、入力部１８からの入力に対応して、前記計時手段、演算手段及び表示部１９などの各手段への制御を行う。所定の係数、所定の数式及び基準値については、後述する。
【００３４】
記憶部１６は、プログラムデータ、前記所定の係数及び所定の数式などを格納しているＲＯＭと、ワーキングデータを格納するＲＡＭとを有する。ＲＡＭには、施工されるアンカに対して要求される異なる耐張力の基準値データが格納される。施工中のアンカ進入量増大に伴って、算出されたアンカの周面摩擦の油圧面積と土錐体の油圧面積が基準値の所定の達成割合に達するたびに表示部１９に表示させる場合は、前記所定の達成割合データ（％値）もＲＡＭに格納される。基準値データ及び達成割合データは、ＲＡＭに格納することに代えて、外部記憶装置に記憶させておくこともできる。そして、耐張力確認装置が稼働されるときに、施工されるアンカに対して要求される耐張力の段階の規格値、例えば、耐張力の小さい方から例示すると、第１段階の規格値（１４．７ｋＮ）、第２段階の規格値（４１．２ｋＮ）又は第３段階の規格値（６３．７ｋＮ）のいずれかを指定する信号が入力部１８から入力されたことに基づき、その指定された規格値に対応する基準値データ及び達成割合データが読み出されて、ＣＰＵ１５に与えられるようになっている。
【００３５】
ＲＯＭに格納されるプログラムには、油圧計測手段１１から所定時間ごと、例えば０．０５秒ごとに読み取る油圧測定値に所定の係数を乗じて単位油圧面積を算出する演算と、その単位油圧面積を油圧値上昇開始時点（アンカの進入開始時点）からアンカの進入終了時点まで積算して、合計油圧面積を得る演算とを行うプログラム、その演算結果である合計油圧面積から所定の数式により進入終了時点からアンカの螺旋状の掘削刃の先端から掘削刃の上端部までの長さが地中に進入するのに要するものとして設定された時間を遡った時点から前記進入終了時点までにおける油圧面積の積算値を前記アンカの周面摩擦の油圧面積とし、前記時間を遡った時点以前の前記単位油圧面積の積算値を土錐体の油圧面積として算出するプログラム、その算出されたアンカの周面摩擦の油圧面積と土錐体の油圧面積を前記基準値と比較するプログラム、及びその時々の比較結果を表示部１９に出力するプログラムが含まれている。
【００３６】
前記所定の係数には、前記所定時間、又はその所定時間におけるアンカの進入距離のいずれかを用いることができる。
【００３７】
図４のＢは、アンカ埋設装置に設けられた操作パネルである。操作パネルＢには、入力部１８を構成する電源ＯＮスイッチ１８ａと、電源ＯＦＦスイッチ１８ｂと、埋設されるアンカに対して要求される耐張力の段階、すなわち、規格値を指定する規格値指定部１８ｃと音量調節摘み１８ｄとが設けられている。規格値指定部１８ｃの摘み１８ｃ´を規格値表示記号（Ｉ，ＩＩ，ＩＩＩ）に合致させることにより、指定された規格値のデータがＣＰＵ１５に入力され、ＣＰＵはそのデータに基づき、当該アンカに対する基準値データを記憶部１６から読み出すようになっている。操作パネルＢには、また、表示部１９を構成する第１ランプないし第５ランプ１９ａ〜１９ｅと、ブザー１９ｆも併せて設けてある。各ランプ１９ａ〜１９ｅは、それぞれ識別可能に異色点灯するものである。そして、操作パネルＢには、耐張力確認装置の状態を表示するランプ１９ｇも設けられている。
【００３８】
油圧モータＭとオーガ８を用いてアンカＡを地中に埋設するには、先ず、動力伝達部材６の装着部６ｂをオーガ８の角穴８ａに挿入する。そして、脱落防止のために、オーガ８の先端に設けられている貫通孔８ｂ及び装着部６ｂに設けられている貫通孔６ｆにボルト８ｃを貫通し、これにナット８ｄを螺合して固定する。
【００３９】
次いで、動力伝達部材６内に支線棒７を挿入し、角穴６ａ内にアンカＡの角柱部５を嵌合する。そして、動力伝達部材６に設けられている貫通孔６ｄにボルト６ｅを挿入するとともに、そのボルト６ｅにナット６ｇを螺合する。これにより、支線棒７及びアンカＡと動力伝達部材６とが連結状態に保たれる。
【００４０】
オーガ８に、例えばブーム及び油圧モータの重量を利用して一定の荷重を加えながら油圧モータＭを正転させると、アンカＡは、掘削刃２ａ〜２ｄの穿孔作用により地中に進入し始める。
【００４１】
アンカＡが所定深さまで進入されたとき、油圧モータＭの回転が停止される。油圧モータＭの停止後は、ボルト６ｅが抜き取られ、オーガ８が上方へ復帰される。これにより動力伝達部材６は支線棒７から分離され、アンカＡから外されて、アンカＡ及び支線棒７の下端部は、地中に埋設された状態に保たれる。その後、支線棒７の上部に設けられたリング部７ｂには、図示しない支線（ワイヤ）が取付けられて電柱（不図示）が支持される。
【００４２】
なお、油圧計測手段１１から読み取った油圧計測値に基づいて算出された単位油圧面積の積算値（合計油圧面積）が所定の値に達しないときは、埋設されたアンカＡは電柱を支持するための所定の耐張力が得られないことを意味しているので、この場合は、操縦レバーＬが逆転位置に移動されて、それまで正転されていた油圧モータＭが逆転される。この逆転によりアンカＡが徐々に地表に出されて地中から取り出される。
【００４３】
続いて、上記構成による耐張力確認装置付きアンカ埋設装置の作用を主として図５及び図６に基づいて説明する。図５は主として耐張力確認作用を示すフローチャートであり、図６はその中の耐張力演算ルーチンの詳細を説明するフローチャートである。
まず、耐張力確認装置Ｙ付きアンカ埋設装置Ｘは、図４に示す操作パネルＢの電源ＯＮスイッチ１８ａを操作して電源を投入する。続いて、入力部１８の規格値指定部１８ｃの摘み１８ｃ´を操作して、埋設しようとするアンカの種類(規格値)を指定すると、制御部は記憶部１６からその指定された規格値に対応する基準値を読み出してＣＰＵ１５に設定する（ステップ１。以下、ステップをＳで表す）。続いて、操縦レバーＬを操作して油圧モータＭの正転を開始させる（Ｓ２）と、ＣＰＵは油圧計測手段１１から無負荷時のオーガを回転させる油圧（油圧モータの回転油圧）を測定し（Ｓ３）、その計測値を以後の計測の基準点として設定する（Ｓ４）。その後、図１に示すように、オーガ８の下端に動力伝達部材６を介して接続されたアンカＡの下端部のドリル部３がアンカ埋設地点の地面に接触する状態に位置決めし（Ｓ５）、操縦レバー（図示省略）を操縦してオーガ８を下降させてアンカの掘削進入を開始する（Ｓ６）。
【００４４】
アンカの進入開始と同時に、ＣＰＵ１５は油圧計測手段１１が出力している油圧計測値を所定時間ごと、例えば０．０５秒ごとに読み取り（Ｓ７）、これをＲＡＭに格納する（Ｓ８）。そして、ＣＰＵの演算手段はルーチン（Ｒ）において、その読み取った油圧計測値に基づいて耐張力(アンカの周面摩擦の油圧面積と土錐体の油圧面積)を計算する。
【００４５】
ルーチン（Ｒ）における耐張力の演算について、図６に基づいて説明する。ＣＰＵ１５は、油圧計測値を読み取るたびに、これに所定の係数、例えば所定時間を乗じて単位油圧面積を算出し、かつ、順次算出される単位油圧面積を積算して、合計油圧面積を算出する（Ｓ９）。続いて、その合計油圧面積の中の油圧モータを回転させてきた時間の最終１５秒間の油圧面積と、油圧モータを回転させてきた時間の最終１５秒間以前の油圧面積とをそれぞれ演算する（Ｓ１０，Ｓ１１）。また、その演算された最終１５秒間の油圧面積から後述される所定の数式２を用いてアンカの周面摩擦抵抗力（Ｆ１）を演算する（Ｓ１２）とともに、最終１５秒間以前の油圧面積から後述される所定の数式１を用いて土錐体の力（Ｆ２）を演算する（Ｓ１３）。そして、最後に、得られたアンカ周面摩擦抵抗力と土錐体の力を合算（Ｆ１＋Ｆ２）して、アンカの耐張力を算出する（Ｓ１４）。ここで、最終１５秒間という時間は、アンカの螺旋状の掘削刃が設けられている部分の長さが地中を推進するのに要するものとして設定された時間である。１５秒間に設定された理由は、段落００６２において詳述される。
【００４６】
次に、耐張力の算出に続き、油圧計測値が無負荷時の油圧計測値にほぼ等しい値まで低下し、その状態が予め設定した一定時間以上継続したか否かにより、アンカの先端のドリル部が硬い地盤のために前進せずに空転しているかどうかを調べる（Ｓ１５）。つまり、無負荷時の油圧計測値にほぼ等しい値まで低下した状態が予め設定した一定時間以上継続した場合は、アンカが空転していると判断する。
【００４７】
Ｓ１５において空転していないと判断された場合は、ＲＡＭから第１の達成割合データ（２５％）が読み出され、算出された耐張力（以下、耐張力計算値という。）が基準値の２５％以上になったか否かが調べられ（Ｓ１６）、否定の場合は、Ｓ７に戻って、単位時間の次のタイミングで油圧値計測手段からの計測値が読み取られ、以後、前述したのと同様に、Ｓ８，Ｒ，Ｓ１５が実行される。また、Ｓ１６において肯定の場合は、第１ランプ１９ａが例えば緑色に点灯される（Ｓ２３）。これにより、操縦者はアンカの進入に伴ってどの程度の耐張力が得られたかを知り、また、埋設地点の土質を推測することができる。
【００４８】
一方、Ｓ１５において空転と判断した場合は、第１ランプ１９ａから第４ランプ１９ｄの全てが同時に点滅される（図示せず）と同時に、第５ランプ１９ｅが例えば赤色に点灯される（Ｓ２７）。第１ランプ１９ａから第４ランプ１９ｄの全ランプを点滅させずに、第５ランプのみを赤色点灯させるようにしても良い。また同時に、ブザー１９ｆを鳴動させて警告音を発生させると、アンカの進入位置を監視している操縦者に空転事実の認識を喚起する利点がある。そして、第５ランプ１９ｅの点灯と警告音の発生に基づいて、アンカ埋設施工が中止される（Ｓ２８）。図４の摘み１８ｄはこの警告音の音量調節用である。
【００４９】
第１ランプ１９ａが点灯されると同時に、再び、そのアンカが空転しているか否かが調べられ（Ｓ１７）、空転していないと判断された場合は、ＲＡＭから第２の達成割合データ（５０％）が読み出され、耐張力計算値が基準値の５０％以上になったか否かが調べられ（Ｓ１８）、否定の場合は、再びＳ７に戻って、単位時間の次のタイミングで油圧値計測手段からの計測値が読み取られ、以後、前述したのと同様に、Ｓ８，Ｒ，Ｓ１５が実行される。また、Ｓ１８において肯定の場合は、第２ランプ１９ｂが例えば薄緑色に点灯される（Ｓ２４）。
【００５０】
空転判断と、耐張力達成度判断と、未達成判断時のＳ７への移行と、達成時のランプ点灯及び各空転判断において空転と判断された場合の第５ランプの点灯及び警告音の発生は、耐張力計算値が基準値の５０％、７５％、及び１００％に達したか否かの判断を行う場合の前又は後にも同様に行われる。そして、基準値７５％以上達成の場合（Ｓ２０でＹ）は、第３ランプ１９ｃが例えば薄青色に点灯し、１００％達成の場合（Ｓ２２でＹ）は、第４ランプ１９ｄが例えば青色に点灯するようになっており、Ｓ１７，Ｓ１９，Ｓ２１のどの段階でも、空転と判断された場合は、第５ランプ１９ｅが赤色点灯及び又は警告音発生の後（Ｓ２７）、アンカ埋設施工が中止される（Ｓ２８）。
【００５１】
また、第４ランプ１９ｄが点灯されて、基準値の１００％が達成されたことをアンカ埋設装置の操縦者が認識したときは、操縦者は油圧モータの回転を停止させてアンカの進入を終了させ（Ｓ２９）、動力伝達部材６が工事作業員により切り離され、引き続き、別の操縦レバーを操作して油圧モータとオーガ８を上昇復帰させることにより、アンカ埋設施工が終了する。
【００５２】
油圧モータの回転が停止されるまでの間に、油圧面積の積算値（合計油圧面積)に基づいて得られる耐張力計算値が当該基準値の複数段階の達成割合のいずれに該当するかに応じて、それぞれ異なる色のランプを点灯させ、又は異なる音を発生させ、もしくはその双方を行えば、埋設されるアンカの耐張力獲得程度を段階的に把握することができる。その場合は、当該埋設地点の土質をランプの点灯状態又は音声発生状態から推測しながら埋設工事を行うことができ、土質が良いので最後まで完了できるか、土質が悪いので途中で止めるべきかを容易に判断することができる。
【００５３】
以上に記載の実施例においては、Ｆ１＋Ｆ２が基準値以上であるか否かにより必要な耐張力が確保されたか否かを判定したが、施工地盤及びアンカの所要耐張力によっては、Ｆ１単独が基準値以上であるか否かにより必要な耐張力が確保されたか否かを判定しても良い。
【００５４】
本発明は、以上に説明したように、一定の荷重が加えられているアンカを回転させて地中に進入させる油圧モータの時々刻々変化する油圧計測値を、進入開始時点から進入終了時点までの間に所定時間毎に取得し、これに所定の係数を乗算して単位油圧面積を算出するとともに、その単位油圧面積を積算して合計油圧面積を求め、その合計油圧面積から所定の数式を用いてアンカの周面摩擦抵抗力と土錐体の力を算出し、これらを合算して耐張力を算出し、その算出された耐張力を基準値と比較して、所定の耐張力が得られたか否かを判定するようにしたものであるが、その理論的根拠について、以下に説明する。
【００５５】
（Ｉ）耐張力メカニズムと油圧面積の関係
耐張力（Ｆ）は、アンカの周面摩擦抵抗力（Ｆ１）と土錐体の力（Ｆ２）の和（Ｆ＝Ｆ１＋Ｆ２）であると理解されている。これを本明細書では、耐張力メカニズムと言う。アンカを地中に推進させるために使用される油圧モータの駆動油圧値を用いると、施工に要した総エネルギー量を知ることが可能である。そこで、アンカ施工時に測定した油圧モータの駆動油圧値を合計油圧面積として換算し、その合計油圧面積とその施工に要したエネルギーとの間の関係を考察すると、一定の相関関係があることを見出した。本発明は、各種実験により得られた以下に述べるような知見に基づいてなされたものである。そして、各種実験を行った結果、駆動油圧値と最大耐張力の間に相関関係があることが判った。すなわち、油圧モータの駆動油圧値の積算値（合計油圧面積）とアンカの耐張力との間に相関関係があることが判った。そして、周面摩擦抵抗力（Ｆ１）は周面摩擦の油圧面積（Ａ１）を数式２に当て嵌めることにより近似値が得られ、土錐体の力（Ｆ２）は土錐体の油圧面積（Ａ２）を数式１に当て嵌めることにより近似値が得られることが明らかになった。そこで、周面摩擦の油圧面積（Ａ１）と土錐体の油圧面積（Ａ２）を求める方法を追求した結果、その回答を得ることができた。
【００５６】
土丹（盛土）、土丹（切土）、礫質土（盛土）、礫質土（切土）の４種類３８カ所の地盤に対して実施した試験のデータに基づいて、アンカ施工時の油圧測定値を合計油圧面積に換算し、かつ、その時の最大耐張力を、横軸に合計油圧面積を、縦軸に最大耐張力を取った座標にプロットしたところ、図７に示すように表された。このように、アンカ施工における油圧面積（合計油圧面積）と最大耐張力との間に相関関係があることが判った。これより、合計油圧面積による特性を分析することにより、施工品質（耐張力の大小）の管理の可能性が示唆された。
なお、最大耐張力については、試験治具により櫓（やぐら）を組み、その試験治具に取り付けられた油圧シリンダにより引張り荷重を印加し、その油圧シリンダとアンカとの間に取付けられた張力計により最大耐張力を測定した。
【００５７】
油圧モータの油圧値の時系列的な変移は、図８（ａ）に示されるとおりであり、油圧面積の時系列的な変移は、図８（ｂ）に示すとおりである。同図（ｃ）は（ｂ）の縦長長方形の枠で囲まれた部分の拡大図である。
油圧モータの駆動油圧値から合計油圧面積を求めるには、図８（ｃ）に示すように、油圧計の油圧計測値を所定時間ごとに読み取り、その読み取った油圧値に係数の一例として単位時間を乗じて、単位油圧面積を算出し、その単位油圧面積をアンカの回転による地中への進入開始時点から進入終了時点（又は所定深さに到達する時点。以下、同じ。）まで積算することにより得られる。例えば、所定時間が０．０５秒で、単位時間毎に読み取られた油圧値が０．１８，０．２９，０．５４，……である場合は、単位油圧面積は、表１に表されるとおりである。なお、表１における「横」は単位時間を、「縦」は油圧計測値をそれぞれ示す。
【表１】
0004813836.tif 000002
【００５８】
アンカの耐張力を求める場合は、その時々の油圧値にもう一つの係数としてアンカの進入距離を乗じることが合理的と思われる。そこで、上記各種の地盤に関し、合計油圧面積とアンカの進入深さとの関係について調べた結果は、図９に示したとおりである。これにより、進入深さが深いほど、合計油圧面積が増加する傾向があることが判った。
この合計油圧面積を、耐張力メカニズム（耐張力は土錐体の力とアンカの周面摩擦抵抗力の和であること）に照らし合わせて分析すると、合計油圧面積には、土錐体の力に対応する領域と、アンカ周面摩擦抵抗力に対応する領域が含まれていると考えることができる。そして、進入深さが深くなると土錐体の力に対応する領域が増加することから、進入深さが深くなると合計油圧面積が増加すると理解することができる。
よって、油圧面積と耐張力の関係の分析を行うために、耐張力メカニズムの考え方に基づき、油圧面積もアンカ周面摩擦抵抗力に対応する領域と、土錐体の力に対応する領域とに分けて検討した。
【００５９】
１）アンカ周面摩擦抵抗力と油圧面積との関係
アンカ周面摩擦抵抗力は、油圧モータの回転を最終的に停止し、アンカ進入終了時のアンカ本体部の定着位置において発生する力である。従って、耐張力を油圧面積に置換した場合、アンカ周面摩擦抵抗力は、「最終的に停止する間際のアンカ先端から螺旋状掘削刃の上端部（大羽根）までの長さが進入するまでの油圧面積」であると言うことができる。これは、アンカの単位時間当たりの進入距離が油圧計測値と乗算して油圧面積を求める場合の一つの係数となり得ることを示唆している。
【００６０】
そこで、本発明では、アンカ周面摩擦抵抗力である「最終的に停止する間際のアンカ先端から螺旋状掘削刃の上端部までの長さが進入するまでの油圧面積」を求めるために、進入距離計測を行うことに代えて、最終的に停止する間際のアンカ先端から螺旋状掘削刃の上端部までの長さが進入するに要する時間に置換し、その時間と油圧計測値との乗算によりアンカ周面摩擦抵抗力に対応する油圧面積を得ることを考察した。換言すると、アンカ先端から螺旋状掘削刃の上端部までの長さが地盤に進入するのに要する時間（進入所要時間）に換算し、アンカの所定深さ到達により停止された時、その停止時点から前記進入所要時間前までの時間を用い、その時間と油圧面積に基づいてアンカ周面摩擦抵抗力を算出するようにした。
【００６１】
２）土錐体の力と油圧面積との関係
上記アンカ周面摩擦抵抗力が停止前何秒間の油圧面積に相当するかが明らかになれば、残りの油圧面積が土錐体の力に対応する領域であるということができる。
アンカ先端から螺旋状掘削刃の上端部までの長さが一例として３５ｃｍである場合の、上記３８カ所の土壌において停止前１０秒間と停止前１５秒間のアンカ推進量（停止前１０秒間及び停止前１５秒間でアンカが何ｃｍ進入したか）を、油圧波形データをもとに調査した。
【００６２】
その結果、推進量が停止前１０秒間では概ね１０〜３０ｃｍであり、停止前１５秒間では概ね２０〜４０ｃｍであった。このことから、アンカ先端から螺旋状掘削刃の上端部までの長さが３５ｃｍであるアンカの場合は、停止前１０秒間の油圧面積よりも停止前１５秒間の油圧面積の方が掘削刃が設けられているアンカ本体全体の油圧面積を捉えていると考えられる。
従って、停止前１５秒間の油圧面積の特性は、アンカ施工の最終進入時、すなわち、アンカ本体部が定着した時のアンカ周面摩擦抵抗力と関連付けられると考えられる。
さらに、停止前１５秒間以前の時間における油圧面積特性は、土錐体の力と関連付けられると推測される。このように、油圧面積特性をアンカ周面摩擦抵抗力に対応する部分と、土錐体の力に対応する部分に２分割することで、耐張力メカニズムと連携した分析が可能である。
【００６３】
要約すると、耐張力メカニズムと油圧面積の関係は、次のように関連付けすることができる。すなわち、アンカ周面摩擦抵抗力は停止前１５秒間の油圧面積（本明細書では、これを周面摩擦の油圧面積という。）に関連し、土錐体の力は停止前１５秒間以前の油圧面積（本明細書では、これを土錐体の油圧面積という。）に関連する。
上述のように、耐張力メカニズムの内容として、次の点が知られている。
耐張力（Ｆ）＝アンカ周面摩擦抵抗力（Ｆ１）＋土錐体の力（Ｆ２）
また土錐体の力に関して、次の関係式が成り立つことを本発明者らは明らかにした。
土錐体の力（Ｆ２）＝土錐体の重量（Ｗ）＋土錐体の摩擦力（μ）
Ｗ＝ｇ・Ｗｅ・Ｖ
Ｖ＝π／４・Ｌ｛Ｄ2 ＋２ＤＬ・ｔａｎφ１＋４／３（Ｌ・Ｔａｎφ１）2 ｝
φ１＝√（２０・Ｎ１）＋１５
μ  ＝Ｗ・ｔａｎφ２
φ２＝√（２０・Ｎ２）＋１５
Ｗ  ：土錐体の重量（ｋＮ）
Ｗｅ：土の単位重量（ｔ／ｍ3 ）
Ｖ  ：土錐体の体積（ｍ3 ）
Ｌ  ：地表からアンカ大羽根までの長さ
Ｄ  ：アンカ大羽根の直径
φ１：土錐体角度（大羽根付近の土の内部摩擦角）（度）
Ｎ１：大羽根付近の推定換算Ｎ値
μ  ：土錐体の摩擦力（ｋＮ）
φ２：土錐体中央付近の土の内部摩擦角（度）
Ｎ２：土錐体中央付近の推定換算Ｎ値
ｇ  ：重力加速度  ９．８（ｍ／ｓ）
【００６４】
（ＩＩ）土錐体の力と土錐体の油圧面積との関係
土錐体の力と土錐体の油圧面積との関係について、上記３８カ所の土壌に対して行った調査の結果を図１０に示す。土錐体の油圧面積は、アンカの施工に要した油圧値と計測時間を面積に換算し積算した値（油圧面積）の合計からアンカの地中への進入停止前１５秒間の油圧面積を除いて求めた。また、土錐体の力は、最終的にアンカを施工した位置における土錐体の重量などから算出した。
これにより、土錐体の力と土錐体の油圧面積には、２次曲線的な関係、すなわち、土錐体の力をｙ、土錐体の油圧面積をｘとすると、
ｙ＝８Ｅ−０．５ｘ2 ＋０．０１ｘ        ……数式１
の関係式で表される関係があることが判った。
また、土錐体の油圧面積が増加するほど、土錐体の力も増加することが判った。これは、アンカの進入深さが深いほど土錐体の力が大きくなることを示している。
以上の考察の結果より得られた上記関係式を用いることにより、切土地盤、盛土地盤を意識することなく、土錐体の油圧面積から土錐体の力を推定することができる。
【００６５】
（ＩＩＩ）アンカ周面摩擦抵抗力と周面摩擦の油圧面積との関係
アンカ本体が定着した位置でのアンカ周面摩擦抵抗力と周面摩擦の油圧面積との関係を調査した結果を図１１に示す。
アンカ周面摩擦抵抗力は、最大耐張力から土錐体の力を差し引いて算出した。また、周面摩擦の油圧面積は、アンカの施工に要した停止前１５秒間の油圧面積から求めた。
これにより、周面摩擦の油圧面積とアンカ周面摩擦抵抗力との間には、土錐体の力と同様に、２次曲線的な関係、すなわち、アンカ周面摩擦抵抗力をｙ、周面摩擦の油圧面積をｘとすると、
ｙ＝０．００１７ｘ2 ＋０．１００８ｘ      ……数式２
の関係式で表される関係があることが判った。
また、周面摩擦の油圧面積が増加するほど、アンカ周面摩擦抵抗力も増加することが判った。これは、アンカの埋設を施工した地盤が硬いほど、アンカ周面摩擦抵抗力が大きいことを示している。
以上により、周面摩擦の油圧面積と土錐体の油圧面積を用いることにより、耐張力の確認が可能であると結論することができる。
【００６６】
以上のように、周面摩擦の油圧面積と土錐体の油圧面積及び二つの関係式によりアンカ周面摩擦抵抗力と土錐体の力の管理が可能であることが判った。そして、アンカ周面摩擦抵抗力と土錐体の力の和が当該アンカの基準値以上であるとき、所要の耐張力が得られると判断することができる。
しかしながら、実際の土壌条件は様々であり、周面摩擦の油圧面積と土錐体の油圧面積のそれぞれの積算値も、その和も千差万別であるため、アンカ周面摩擦抵抗力（Ｆ１）と土錐体の力（Ｆ２）の和が規格値を満足する場合と、満足しない場合があるので、満足する各条件を容易に知ることができるようにしておくことは有益である。
【００６７】
そこで、本発明者らは、上記様々な土壌条件に関わらず、所要の耐張力が得られたか否かを確実に確認することができる方法を案出した。以下、これについて説明する。
上記３８カ所の土壌において測定した最大耐張力及びその時の油圧測定値を基に周面摩擦の油圧面積と土錐体の油圧面積に分解し解析してプロットした。その結果は図１２に示すとおりである。この実験結果に基づいて同図に記入した斜線が、理論上、耐張力の規格値（６３．７ｋＮ）が得られるか否かの境界値、すなわち、新たな基準値であり、周面摩擦の油圧面積と土錐体の油圧面積の関係が、基準値よりも上側の領域であれば、規格値以上の耐張力を有していることを示す。
【００６８】
基準値の求め方を図１３を用いて説明する。
手順１：土錐体の力を計算する。すなわち、土錐体の油圧面積（Ｓｎ）を決め、図１０に示した土錐体の油圧面積と土錐体の力の関係式（数式１）から土錐体の力（Ａｎ）を計算する。
手順２：停止前１５秒間の油圧面積（Ｃｎ）を計算する。すなわち、手順１で求めた土錐体の力から、当該アンカに対して要求される耐張力の規格値（Ｆ）（今回の例の場合は６３．７ｋＮ）に対する不足分（Ｂｎ）を算出（Ｂｎ＝Ｆ−Ａｎ）し、耐張力発生メカニズムより６３．７ｋＮに対する不足分（Ｂｎ）は、周面摩擦抵抗力と考えられるので、図１１に示した周面摩擦の油圧面積とアンカ周面摩擦抵抗力の関係式（数式２）から、必要な周面摩擦の油圧面積（Ｃｎ）を逆算する。
【００６９】
以上の考察の結果から、土錐体の油圧面積から推定される土錐体の力と、所定の耐張力を得るために必要なアンカ周面摩擦抵抗力の割合を導き出すことが可能である。図１４に、その所定の耐張力を６３．７ｋＮとした場合の、土錐体の油圧面積を基準とした耐張力を確保するアンカ周面摩擦抵抗力と土錐体の力の割合を示す。
この図から、土錐体の油圧面積が大きい（進入深さが十分深い）場合は、アンカ周面摩擦抵抗力（周面摩擦の油圧面積）が小さくても、土錐体の力（土錐体の重量と土錐体の摩擦力）が十分あり、耐張力が得られることが理解される。逆に、アンカ周面摩擦抵抗力（周面摩擦の油圧面積）が大きい場合は、土錐体の油圧面積が小さくても（進入深さが浅くても）、耐張力が得られることが理解される。すなわち、アンカ周面摩擦抵抗力（Ｆ１）のみが基準値以上であるか否かにより必要な耐張力が確保されたか否かを判定することができる。
【００７０】
埋設されるアンカに要求される耐張力は、そのアンカにより支持される柱状物の立設条件、環境条件、柱状物にかかる負荷の大小などにより異り、規格値としては、たとえば１４．７ｋＮ、４１．２ｋＮ、６３．７ｋＮ等があり、基準値は各規格値に対応して設定される。
【００７１】
この改良された発明においては、記憶部１６のＲＯＭに格納されるプログラムには、油圧計測手段１１から所定時間ごと、例えば０．０５秒ごとに読み取る油圧測定値に所定の係数を乗じて単位油圧面積を算出する演算と、その単位油圧面積をアンカの進入開始時点から進入終了時点まで積算して合計油圧面積を得る演算とを行うプログラム、その演算結果である合計油圧面積から進入終了時点からアンカの螺旋状の掘削刃の先端から掘削刃の上端部までの長さが地中に進入するのに要するものとして設定された時間を遡った時点から前記進入終了時点までにおける油圧面積の積算値を前記アンカの周面摩擦の油圧面積とし、前記時間を遡った時点以前の前記単位油圧面積の積算値を土錐体の油圧面積として算出するプログラム、その算出されたアンカの周面摩擦の油圧面積と土錐体の油圧面積を前記基準値と比較するプログラム、及びその時々の比較結果を表示部１９に出力するプログラムが含まれている。また、ＣＰＵ１５の演算手段は、油圧計測値の上昇開始時点からアンカが進入されて油圧モータＭの回転が停止される時点までの、所定時間ごとに油圧計測手段１１が計測した油圧計測値に所定の係数を乗じて得られる単位油圧面積を積算し、その積算値である合計油圧面積に基づいてアンカの周面摩擦の油圧面積と土錐体の油圧面積を算出する機能と、その算出されたアンカの周面摩擦の油圧面積と土錐体の油圧面積を埋設される当該アンカに対する規格値に対応して設定され記憶部に記憶されている基準値と比較する機能とを有する。
【図面の簡単な説明】
【００７２】
【図１】本発明に係るアンカ埋設装置の構成の一部の分解斜視図。
【図２】本発明に係る耐張力確認装置の構成を示すブロック図。
【図３】アンカ埋設装置の油圧系を例示する図。
【図４】アンカ埋設装置の操作パネルの正面図。
【図５】耐張力確認のフローチャート。
【図６】図５の耐張力演算処理の詳細を示すフローチャート。
【図７】油圧モータの合計油圧面積と最大耐張力の関係を実験計測値に基づき示す図。
【図８】駆動油圧値から油圧面積を求める方法の一例を示す図。
【図９】油圧面積とアンカの進入深さとの関係を実験計測値に基づき示す図。
【図１０】土錐体の力と土錐体の油圧面積の関係を実験計測値に基づき示す図。
【図１１】周面摩擦の油圧面積とアンカ周面摩擦抵抗力の関係を実験計測値に基づき示す図。
【図１２】所要の耐張力が得られるための土錐体の油圧面積と周面摩擦の油圧面積の境界値を実験計測値に基づき示す図。
【図１３】図１２における境界値の求め方を示す説明図。
【図１４】所定耐張力を確保するためのアンカ周面摩擦抵抗力と土錐体の力の割合を示す図。
【符号の説明】
【００７３】
Ｐ      油圧ポンプ
Ｍ      油圧モータ
Ｇ      油圧計（計測手段）
Ａ      アンカ
２ａ〜２ｄ  螺旋状の掘削刃
６      動力伝達部材
７      支線棒
８      オーガ
１１    油圧計測手段
１５    ＣＰＵ
１６    記憶部
１８    入力部
１９    表示部
【図１】
0004813836.tif 000003
【図２】
0004813836.tif 000004
【図３】
0004813836.tif 000005
【図４】
0004813836.tif 000006
【図５】
0004813836.tif 000007
【図６】
0004813836.tif 000008
【図７】
0004813836.tif 000009
【図８】
0004813836.tif 000010
【図９】
0004813836.tif 000011
【図１０】
0004813836.tif 000012
【図１１】
0004813836.tif 000013
【図１２】
0004813836.tif 000014
【図１３】
0004813836.tif 000015
【図１４】
0004813836.tif 000016